(57)【要約】【課題】簡素な構成で精度よく湿度等を検出する洗濯乾燥機を提供する。【解決手段】洗濯乾燥機の湿度センサ９は、センサ素子９４と、このセンサ素子９４が実装される基板９１と、基板９１の周縁部に設置され、弾性変形が可能な樹脂製の封止部材９２と、基板９１及び封止部材９２を覆うセンサカバー９３と、を有している。そして、センサ素子９４がフィルタケース１９に臨んだ状態で、センサカバー９３がフィルタケース１９の外側に固定されている。フィルタケース１９は、センサ素子９４に導く空気入口孔ｈ９と、自身を介してフィルタケース１９に空気を戻す空気出口孔ｈ１０と、を有している。【選択図】図６
2019165882.tif 000002
【特許請求の範囲】
【請求項１】
洗濯物を乾燥させる乾燥運転中に空気が通流するダクトを備えるとともに、
前記ダクトを通流する空気の湿度及び／又は温度を検出するセンサを備え、
前記センサは、
少なくとも一つのセンサ素子と、
前記センサ素子が実装される基板と、
前記基板の周縁部に設置され、弾性変形が可能な樹脂製の封止部材と、
前記基板及び前記封止部材を覆うセンサカバーと、を有し、
前記センサ素子が前記ダクトに臨んだ状態で、前記センサカバーが前記ダクトの外側に固定されており、
前記ダクトは、
当該ダクトを通流する空気の一部を前記センサ素子に導く空気入口孔と、
前記空気入口孔を介して前記センサ素子に導かれた空気を、自身を介して前記ダクトに戻す空気出口孔と、を有すること
を特徴とする洗濯乾燥機。
【請求項２】
前記空気入口孔及び前記空気出口孔は、前記ダクトにおける空気の通流方向に沿って設けられ、
前記空気出口孔は、前記通流方向において前記空気入口孔の下流側に位置していること
を特徴とする請求項１に記載の洗濯乾燥機。
【請求項３】
前記空気入口孔は、当該空気入口孔を介して通流する空気が前記センサ素子に近づくにつれて、前記ダクトの中心軸線から遠ざかるように傾斜しており、
前記空気出口孔は、当該空気出口孔を介して前記ダクトに戻される空気が前記センサ素子から遠ざかるにつれて、前記中心軸線に近づくように傾斜していること
を特徴とする請求項２に記載の洗濯乾燥機。
【請求項４】
前記ダクトにおいて、前記空気入口孔と前記空気出口孔との間の仕切壁は、縦断面視で台形状を呈し、
前記台形状の短辺は、前記ダクトの表面に含まれ、
前記台形状の長辺は、前記ダクトの内面に含まれること
を特徴とする請求項１に記載の洗濯乾燥機。
【請求項５】
前記ダクトにおいて、前記仕切壁の真上に前記センサ素子が配置されていること
を特徴とする請求項４に記載の洗濯乾燥機。
【請求項６】
平面視で四角枠状を呈する前記封止部材は、その内周壁に設けられた溝を有し、
前記基板の周縁部が前記溝に嵌め込まれており、
前記センサカバーが前記ダクトに固定された状態で、前記センサカバーと前記ダクトとの間に前記封止部材が介在していること
を特徴とする請求項１に記載の洗濯乾燥機。
【請求項７】
前記センサ素子を覆うように前記基板に固定される箱状の保護部品を有しないこと
を特徴とする請求項１から請求項６のいずれか一項に記載の洗濯乾燥機。
【発明の詳細な説明】
【技術分野】
【０００１】
本発明は、洗濯乾燥機に関する。
【背景技術】
【０００２】
乾燥運転中にダクトを通流する空気の湿度を検出する湿度センサを備えた洗濯乾燥機が知られている。例えば、特許文献１には、「槽内から排気口を介し送出される気体の湿度を検出する湿度検出部」を備える洗濯乾燥機について記載されている。
【先行技術文献】
【特許文献】
【０００３】
【特許文献１】特開２０１７−１８２５６号公報
【発明の概要】
【発明が解決しようとする課題】
【０００４】
特許文献１には、前記したように、湿度検出部を備える洗濯乾燥機については記載されているが、この湿度検出部の具体的な構成については開示されていない。簡素な構成のセンサを用いて、精度よく湿度等を検出することが望ましいが、そのような構成について特許文献１には開示されていない。
【０００５】
そこで、本発明は、簡素な構成で精度よく湿度等を検出する洗濯乾燥機を提供することを課題とする。
【課題を解決するための手段】
【０００６】
前記した課題を解決するために、本発明に係る洗濯乾燥機は、洗濯物を乾燥させる乾燥運転中に空気が通流するダクトを備えるとともに、前記ダクトを通流する空気の湿度及び／又は温度を検出するセンサを備え、前記センサは、少なくとも一つのセンサ素子と、前記センサ素子が実装される基板と、前記基板の周縁部に設置され、弾性変形が可能な樹脂製の封止部材と、前記基板及び前記封止部材を覆うセンサカバーと、を有し、前記センサ素子が前記ダクトに臨んだ状態で、前記センサカバーが前記ダクトの外側に固定されており、前記ダクトは、当該ダクトを通流する空気の一部を前記センサ素子に導く空気入口孔と、前記空気入口孔を介して前記センサ素子に導かれた空気を、自身を介して前記ダクトに戻す空気出口孔と、を有することを特徴とする。
【発明の効果】
【０００７】
本発明によれば、簡素な構成で精度よく湿度等を検出する洗濯乾燥機を提供できる。
【図面の簡単な説明】
【０００８】
【図１】本発明の実施形態に係る洗濯乾燥機の構成を示す概略図である。
【図２】本発明の実施形態に係る洗濯乾燥機の縦断面を含む斜視図である。
【図３】本発明の実施形態に係る洗濯乾燥機のフィルタケースに設置された湿度センサを含む斜視図である。
【図４】本発明の実施形態に係る洗濯乾燥機の湿度センサの付近の斜視図である。
【図５】本発明の実施形態に係る洗濯乾燥機が備える湿度センサの分解斜視図である。
【図６】本発明の実施形態に係る洗濯乾燥機が備える湿度センサの縦断面を含む斜視図である。
【図７】本発明の実施形態に係る洗濯乾燥機が備える湿度センサを含む縦断面図である。
【図８】比較例に係る洗濯乾燥機が備える湿度センサの縦断面を含む斜視図である。
【発明を実施するための形態】
【０００９】
≪実施形態≫
図１は、実施形態に係る洗濯乾燥機１００の構成を示す概略図である。
洗濯乾燥機１００は、衣類の洗濯・すすぎ・脱水・乾燥等を行う機器である。図１に示すように、洗濯乾燥機１００は、主に、内槽１と、攪拌翼２と、外槽３と、駆動装置４と、外枠５と、除湿ダクト６と、ファン７と、ヒータ８を備えている。さらに、洗濯乾燥機１００は、図１では図示していないが、湿度センサ９（「センサ」、図３参照）も備えている。
【００１０】
内槽１は、洗濯物Ｒが投入される有底円筒状の部材である。内槽１には、複数の脱水孔ｈ１（図１では、その一部を図示）が設けられている。また、内槽１は、その上端縁部に環状のバランスリング１ａを備えている。そして、内槽１の回転中、洗濯物Ｒの位置の偏り等に伴う偏心がバランスリング１ａによって抑制され、回転バランスが維持されるようになっている。
【００１１】
攪拌翼２（パルセータともいう）は、内槽１の底部中央に設置され、駆動装置４によって回転可能に軸支されている。例えば、洗濯やすすぎが行われる際には、駆動装置４が攪拌翼２を回転させることで、洗濯水とともに洗濯物Ｒが攪拌される。
【００１２】
外槽３は、有底円筒状を呈し、内槽１を同軸上（その中心軸が内槽１と略同一の状態）で内包している。外槽３は、コイルバネや弾性ゴム等の制振装置１０を介して、外枠５の上端付近から吊り下げられている。また、外槽３は、上部の開口を覆う槽カバー３ａを備えている。この槽カバー３ａは、半円形状の開口部ｈ２（図２も参照）を有し、さらに、開閉可能な内蓋３ｂが開口部ｈ２に設置されている。
【００１３】
外槽３の底部には、洗濯水を排水するための排水口ｈ３が設けられている。排水口ｈ３は、排水弁１１を介して排水ホース１２に接続されている。
【００１４】
駆動装置４は、攪拌翼２等を回転させるものであり、外槽３の底部外側に設置されている。駆動装置４は、モータや減速機構の他、クラッチ４ａを備えている。そして、洗濯時やすすぎ時には、前記したモータの回転がクラッチ４ａを介して攪拌翼２に伝達され、内槽１を静止させた状態で攪拌翼２が正逆回転するようになっている。また、脱水時や乾燥時には、モータの駆動によって、内槽１及び攪拌翼２が一体で回転するようになっている。
【００１５】
外枠５は、前記した各部材を収容する筺体である。外枠５の上部には、洗濯物Ｒを出し入れするための洗濯物投入口ｈ４が設けられている。そして、開閉可能な蓋体５ａが洗濯物投入口ｈ４に設置されている。
【００１６】
除湿ダクト６は、乾燥運転中、外槽３から自身を介して蛇腹管１７に空気を導く管であり、外槽３の側壁に沿って鉛直方向に延びている。除湿ダクト６の下端は、外槽３の下部に設けられた吸気口ｈ６に接続されている。一方、除湿ダクト６の上端は、蛇腹管１７を介してフィルタケース１９に接続されている。
【００１７】
給水ユニット１３は、給水管１４を介した水の供給／遮断を切り替えるとともに、冷却水供給部１５を介した水の供給／遮断を切り替える弁である。給水ユニット１３の上流側は、給水ポート１６に接続されている。一方、給水ユニット１３の下流側は、給水管１４に接続されるとともに、冷却水供給部１５にも接続されている。
【００１８】
給水管１４は、給水ユニット１３を介して供給される水を給水口ｈ５に導く管である。給水管１４は、外槽３の内部に連通するように槽カバー３ａに接続されている。そして、給水管１４の下流端である給水口ｈ５に導かれた水が内槽１に流れ込むようになっている。
【００１９】
冷却水供給部１５は、除湿ダクト６を通流する空気を冷やすための冷却水を導く管である。なお、図１には図示していないが、冷却水供給部１５の下流側に連通する熱交換器が除湿ダクト６に隣接して設けられている。そして、熱交換器に導かれた冷却水によって、除湿ダクト６を通流する空気が冷やされる（冷却式除湿が行われる）ようになっている。
【００２０】
フィルタ１８は、除湿ダクト６及び蛇腹管１７を順次に介してフィルタケース１９に送り込まれる空気から糸屑等を捕集するものである。
フィルタケース１９は、フィルタ１８を収容するものであり、蛇腹管１７に接続されている。
【００２１】
ファン７は、内槽１、外槽３、除湿ダクト６、蛇腹管１７、フィルタケース１９、ファンケース２０、ヒータケース２１、蛇腹管２２等を順次に介して空気を循環させるものであり、駆動源であるファンモータ７ａを備えている。
ファンケース２０は、ファン７を収容するものであり、フィルタケース１９に固定されている。
【００２２】
ヒータ８は、ヒータケース２１に送り込まれる空気を温めるための熱源である。
ヒータケース２１は、ヒータ８を収容するものであり、例えば、ファンケース２０と一体形成されている。
蛇腹管２２は、ヒータ８で温められた空気を内槽１に導く管である。蛇腹管２２の一端はヒータケース２１に接続され、他端は槽カバー３ａに接続されている。
【００２３】
ファン７が回転すると、洗濯物Ｒの水分を含む湿った空気が、吸気口ｈ６及び除湿ダクト６を順次に介して、フィルタ１８に導かれる。また、除湿ダクト６を通流する空気は、冷却水との間の熱交換によって冷やされ、水分が除去される（水分が除湿ダクト６の内壁面に結露し、その水滴が流れ落ちる）。そして、フィルタ１８で糸屑等が取り除かれ、さらに、ヒータ８で温められた空気が、蛇腹管２２を介して内槽１に送り込まれる。このように空気を循環させることで、内槽１に収容された洗濯物Ｒが徐々に乾燥していく。
【００２４】
図２は、洗濯乾燥機１００の縦断面を含む斜視図である。
なお、図２では、内槽１（図１参照）や内蓋３ｂの他、攪拌翼２等が外槽３から取り外された状態を図示している。図２に示すように、除湿ダクト６は、外槽３と一体で形成されている。つまり、外槽３の側壁３ｃの一部が、除湿ダクト６としても機能している。この除湿ダクト６は、前記したように、蛇腹管１７を介してフィルタケース１９に接続されている。
【００２５】
フィルタケース１９の天井には、上側のファンケース２０の内部に連通する複数の連通孔ｈ７（図３も参照）が設けられている。
なお、洗濯物Ｒを乾燥させる乾燥運転中に空気が通流する「ダクト」は、除湿ダクト６の他、フィルタケース１９やファンケース２０、ヒータケース２１等も含まれるものとする。以下では一例として、フィルタケース１９に湿度センサ９（図３参照）が設置される構成について説明する。
【００２６】
図３は、フィルタケース１９に設置された湿度センサ９を含む斜視図である。
前記したように、フィルタ１８（図１参照）によって糸屑等が取り除かれた空気をファンケース２０（図２参照）に導く複数の連通孔ｈ７が、フィルタケース１９に設けられている。図３に示す例では、同心円状の複数のリブｖ１と、放射状の複数のリブｖ２と、が一体形成され、その隙間が連通孔ｈ７として機能している。
【００２７】
また、図２や図３では、フィルタケース１９に収容されるフィルタ１８（図１参照）を図示していないが、フィルタケース１９に対してフィルタ１８を前側から抜き差しできるように構成されている。このフィルタ１８が設置されると、フィルタケース１９の前側の開口ｈ８は塞がれた状態になる。そして、前記したように、フィルタ１８で糸屑等が取り除かれた空気が、連通孔ｈ７を介してファンケース２０（図２参照）に導かれるようになっている。
【００２８】
また、フィルタケース１９の上面の所定箇所には、湿度センサ９が設置されている。湿度センサ９は、フィルタケース１９（つまり、ダクト）を通流する空気の湿度を検出するセンサである。
【００２９】
図４は、湿度センサ９の付近の斜視図である。
図４に示すように、湿度センサ９は、基板９１と、封止部材９２と、センサカバー９３と、を備えるとともに、基板９１に実装されたセンサ素子９４（図６参照）を備えている。これらの各部品の構成について、図５等を用いて詳細に説明する。
【００３０】
図５は、湿度センサ９の分解斜視図である。
図５に示す基板９１は、センサ素子９４（図６参照）が実装されるプリント基板であり、矩形板状を呈している。基板９１には、信号伝達や給電に用いられる４本のハーネスｎが電気的に接続されている。なお、センサ素子９４（図６参照）は、基板９１においてハーネスｎとは反対側（基板９１の裏面）に実装され、フィルタケース１９に面した状態になっている。
【００３１】
封止部材９２は、基板９１とフィルタケース１９との間の隙間に外から空気が入り込まないようにするための樹脂製のパッキンであり、基板９１の周縁部に設置されている。封止部材９２は、平面視で四角枠状を呈し、弾性変形が可能になっている。封止部材９２の内周壁には、基板９１の周縁部が嵌め込まれる溝ｋ１（図６も参照）が全周に亘って形成されている。
【００３２】
なお、基板９１に封止部材９２を取り付ける際には、作業員等が封止部材９２を適宜に弾性変形させることで、基板９１の周縁部が封止部材９２の溝ｋ１に嵌め込まれる。そして、後記するセンサカバー９３がフィルタケース１９に固定されると、センサカバー９３とフィルタケース１９との間に介在する封止部材９２が適度に圧縮されて弾性変形する。これによって、封止部材９２がフィルタケース１９の上面に密着するとともに、基板９１の周縁部にも密着する。
【００３３】
センサカバー９３は、基板９１及び封止部材９２を覆う樹脂製のカバーである。センサカバー９３は、平面視で矩形状を呈する平板部９３ａと、平板部９３ａの縁部から下方に延びる側壁９３ｂと、を備えている。
【００３４】
なお、センサカバー９３がフィルタケース１９に固定された状態において、センサカバー９３の側壁９３ｂの下端は、フィルタケース１９の上面から離れている（図６参照）。つまり、センサカバー９３の側壁９３ｂは、封止部材９２の弾性変形を阻害しない程度の長さで下方に延びている。これによって、基板９１をセンサカバー９３で保護しつつ、封止部材９２を適度に弾性変形させることができる。
【００３５】
また、平板部９３ａの所定箇所には、ハーネスｎを露出させるための切欠きｋ２が設けられている。また、フィルタケース１９に設けられた４つの爪ｗにひとづずつ係合する４つの突起ｍが、側壁９３ｂと一体で形成されている。
【００３６】
フィルタケース１９は、前記した４つの爪ｗの他、位置決め部ｊと、空気入口孔ｈ９と、空気出口孔ｈ１０と、仕切壁１９ａと、を備えている。位置決め部ｊは、センサカバー９３を左右方向で位置決めするためのリブであり、フィルタケース１９の所定箇所に設けられている。次に、図６を用いて、空気入口孔ｈ９や空気出口孔ｈ１０等について詳細に説明する。
【００３７】
図６は、湿度センサ９の縦断面を含む斜視図である。
前記したように、基板９１には、空気の湿度を検出するためのセンサ素子９４が実装されている。このようなセンサ素子９４として、例えば、静電容量式のものを用いることができるが、これに限定されるものではない。
【００３８】
そして、センサ素子９４がフィルタケース１９（ダクト）に臨んだ状態で、センサカバー９３がフィルタケース１９の外側に固定されている。また、センサカバー９３がフィルタケース１９に固定された状態で、センサカバー９３とフィルタケース１９との間に封止部材９２が介在している。
【００３９】
図６に示す空気入口孔ｈ９は、フィルタケース１９を通流する空気の一部をセンサ素子９４に導く孔である。一方、空気出口孔ｈ１０は、空気入口孔ｈ９を介してセンサ素子９４に導かれた空気を、自身を介してフィルタケース１９に戻す孔である。
【００４０】
空気入口孔ｈ９及び空気出口孔ｈ１０は、それぞれ、フィルタケース１９の天井に設けられ、また、フィルタケース１９における空気の通流方向に沿って設けられている。空気出口孔ｈ１０は、前記した通流方向において、空気入口孔ｈ９の下流側に位置している。
【００４１】
また、平面視で四角枠状を呈する封止部材９２がフィルタケース１９の上面に密着した状態において、空気入口孔ｈ９及び空気出口孔ｈ１０は、封止部材９２によって囲まれている。そして、ファン７（図１参照）の駆動中、空気入口孔ｈ９を介してセンサ素子９４に導かれた空気が、さらに、空気出口孔ｈ１０を介してフィルタケース１９に戻るようになっている。
【００４２】
なお、空気入口孔ｈ９及び空気出口孔ｈ１０は、それぞれ、空気が適度に通流する程度（例えば、センサ素子９４の面積以上）の大きさであり、また、人の指が抜き差しできない程度の大きさになっている。これによって、埃が溜まりやすいフィルタケース１９の中にユーザが手を差し込んでも、その指が誤ってセンサ素子９４に触れることを防止できる。
【００４３】
また、センサ素子９４に空気を導くための所定の空間Ｓ（図７参照）が、封止部材９２（溝ｋ１の下側）、基板９１、及びフィルタケース１９によって形成されている。これによって、センサ素子９４をフィルタケース１９から適度に離間させ、また、湿度の検出に適した所定の大きさの空間Ｓに空気を導くことができる。なお、洗濯乾燥機１００の設計段階において、封止部材９２に設けられた溝ｋ１の下側の肉厚が適宜に調整されることで、前記した空間Ｓの大きさが調整可能になっている。
【００４４】
図７は、湿度センサ９を含む縦断面図である。
図７に示すように、空気入口孔ｈ９と空気出口孔ｈ１０との間には、縦断面視で台形状を呈する仕切壁１９ａが設けられている。前記した「台形状」の上側の短辺は、フィルタケース１９の表面に含まれている。一方、前記した「台形状」の下側の長辺は、フィルタケース１９の内面に含まれている。
【００４５】
そして、この仕切壁１９ａの真上にセンサ素子９４が配置されている。言い換えると、図７に示す例では、空気入口孔ｈ９や空気出口孔ｈ１０の真上には、センサ素子９４が配置されていない。したがって、仮に、フィルタケース１９の中にユーザの手が差し込まれても、その指がセンサ素子９４に触れることを確実に防止できる。
【００４６】
また、空気入口孔ｈ９は、この空気入口孔ｈ９を介して通流する空気がセンサ素子９４に近づくにつれて（図７の一点鎖線の矢印Ｑ１を参照）、フィルタケース１９の中心軸線Ｐから遠ざかるように傾斜している。
また、空気出口孔ｈ１０は、この空気出口孔ｈ１０を介してフィルタケース１９に戻される空気がセンサ素子９４から遠ざかるにつれて（図７の一点鎖線の矢印Ｑ２を参照）、フィルタケース１９の中心軸線Ｐに近づくように傾斜している。
【００４７】
なお、フィルタケース１９の「中心軸線Ｐ」とは、所定方向（図７では前後方向）に延びるフィルタケース１９において、前記した所定方向に垂直な平面でフィルタケース１９を切断した場合の切断面の中心（重心）付近を通る線である。
【００４８】
このような構成によれば、空気入口孔ｈ９や空気出口孔ｈ１０が傾斜しているため、空気入口孔ｈ９や空気出口孔ｈ１０を介した空気の流れが阻害されにくいという利点がある。つまり、フィルタケース１９の中心軸線Ｐに対して、空気入口孔ｈ９や空気出口孔ｈ１０が垂直である構成に比べて、センサ素子９４に空気が導かれやすくなる。
【００４９】
＜効果＞
本実施形態によれば、基板９１とフィルタケース１９との間に介在する四角枠状の封止部材９２が基板９１の裏面に密着するとともに、フィルタケース１９の表面にも密着している。したがって、フィルタケース１９の外側の空気がセンサ素子９４の周囲に入り込むおそれはほとんどなく、その一方で、フィルタケース１９を通流する空気の一部がセンサ素子９４に導かれる。つまり、基板９１の上側（センサ素子９４とは反対側）の空間と、基板９１の下側（センサ素子９４の側）の空間と、が略完全に分離されている。これによって、フィルタケース１９を通流する空気の湿度を精度よく検出できる。
【００５０】
また、空気入口孔ｈ９を介してセンサ素子９４に空気が導かれ、さらに、空気出口孔ｈ１０を介してフィルタケース１９に空気が戻される。これらの空気入口孔ｈ９や空気出口孔ｈ１０は、人の指が挿通されない程度の大きさであるため、フィルタケース１９の中に手を入れた人の指が、誤ってセンサ素子９４に触れることを防止できる。
【００５１】
≪比較例≫
図８は、比較例に係る洗濯乾燥機が備える湿度センサ９Ａの縦断面を含む斜視図である。
図８に示す比較例では、フィルタケース１９Ａの天井に矩形状の一つの孔ｈ１１が設けられている。そして、箱状（上側が開口した凹状）の保護部品３１が孔ｈ１１に設置されている。保護部品３１は、フィルタケース１９Ａの中にユーザの手が差し込まれても、その指がセンサ素子９４に触れないようにするための樹脂製部材である。また、保護部品３１は、フィルタケース１９Ａとともに空気の流路を形成する機能も有している。
【００５２】
図８に示す比較例では、保護部品３１が、自身を基板９１に固定するための４つの突起ｅ（図８では４つのうち３つを図示）を有している。各突起ｅは、保護部品３１の側壁と一体であり、この側壁の上側に延びている。また、各突起ｅは、基板９１に係止される爪ｅ１を有している。そして、基板９１に設けられた細長矩形状の孔ｈ１４に突起ｅが差し込まれると、その爪ｅ１によって保護部品３１が基板９１に係止されるようになっている。
【００５３】
なお、保護部品３１の側壁と、フィルタケース１９Ａの孔ｈ１１の壁面と、の間には若干の隙間ｈ１２，ｈ１３が設けられている。また、基板９１と保護部品３１との間にも、２箇所の隙間（図示せず）が設けられている。そして、前記した隙間ｈ１２，ｈ１３等を介して、空気が出入りするようになっている。
【００５４】
このような比較例の構成では、基板９１の上側（センサ素子９４とは反対側）の空気が、孔ｈ１４の壁面と突起ｅとの間の微少な隙間を介して、基板９１の下側（センサ素子９４の側）に入り込む可能性がある。言い換えると、フィルタケース１９Ａの外側の空気が、基板９１と保護部品３１との間の空間に入り込む可能性がある。
【００５５】
なお、フィルタケース１９Ａの内側・外側では、空気の湿度環境が大きく異なっている。したがって、比較例の構成では、場合によっては、センサ素子９４の周囲の湿度と、フィルタケース１９Ａの内部の湿度と、が異なる値になり、湿度の検出精度の低下を招く可能性がある。なお、基板９１に保護部品３１を固定した後、孔ｈ１４の壁面と突起ｅとの間の微少な隙間を樹脂等で塞ぐことも可能ではあるが、製造工数の増加を招く。
【００５６】
これに対して本実施形態に係る洗濯乾燥機１００は、センサ素子９４を覆うように基板９１に固定される箱状の保護部品３１（図８の比較例を参照）を有しない構成になっている。したがって、本実施形態では、保護部品３１を固定するための複数の孔ｈ１４（図８参照）を基板９１に設ける必要がない。その結果、フィルタケース１９の外側の空気がセンサ素子９４の周囲に入り込むことがほとんどないため、フィルタケース１９を通流する空気の湿度を簡素な構成で精度よく検出できる。
【００５７】
また、本実施形態に係る洗濯乾燥機１００によれば、比較例で説明した保護部品３１（図８参照）を設ける必要がないため、洗濯乾燥機１００の製造工数が少なくてすみ、また、製造コストの削減を図ることができる。さらに、空気入口孔ｈ９と空気出口孔ｈ１０との間の仕切壁１９ａの真上にセンサ素子９４が設けられている。したがって、フィルタケース１９の中に手を入れたユーザの指が誤ってセンサ素子９４に触れることを確実に防止できる。
【００５８】
≪変形例≫
以上、本発明に係る洗濯乾燥機１００について実施形態により説明したが、本発明はこれらの記載に限定されるものではなく、種々の変更を行うことができる。
例えば、実施形態では、空気の湿度を検出するためのセンサ素子９４（図６参照）が基板９１に実装される構成について説明したが、これに限らない。例えば、空気の温度を検出するためのセンサ素子（図示せず）が基板９１に実装される構成であってもよい。
また、例えば、湿度検出用のセンサ素子９４と、温度検出用の別のセンサ素子と、が基板９１に実装されていてもよい。つまり、洗濯乾燥機が、フィルタケース１９等の「ダクト」を通流する空気の湿度及び／又は温度を検出するセンサを備え、このセンサが、少なくとも一つのセンサ素子を備える構成であってもよい。
【００５９】
また、実施形態では、空気入口孔ｈ９（図６参照）及び空気出口孔ｈ１０がひとつずつ設けられる構成について説明したが、これに限らない。すなわち、少なくとも一つの空気入口孔ｈ９を設けるとともに、空気の通流方向において空気入口孔ｈ９の下流側に、少なくとも一つの空気出口孔ｈ１０を設ける構成にしてもよい。
【００６０】
また、フィルタケース１９において、湿度センサ９の設置箇所に四角枠状のリブ（図示せず）を設け、さらに、このリブの上端部の全周に亘って、封止部材（図示せず）を嵌め込むための所定の溝を設けてもよい。このような構成でも、前記したリブと基板９１との間で封止部材が圧縮されるため、フィルタケース１９の外側の空気がセンサ素子９４の周囲に入り込むことを抑制できる。
【００６１】
また、実施形態では、湿度センサ９をフィルタケース１９に設置する構成について説明したが、フィルタケース１９以外の所定箇所に湿度センサ９を設置してもよい。
また、実施形態では、縦型の洗濯乾燥機１００について説明したが、ドラム式の洗濯乾燥機等にも適用できる。
【００６２】
また、実施形態は本発明を分かりやすく説明するために詳細に記載したものであり、必ずしも説明した全ての構成を備えるものに限定されない。また、実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００６３】
１      内槽
２      攪拌翼
３      外槽
４      駆動装置
５      外枠
６      除湿ダクト（ダクト）
７      ファン
８      ヒータ
９      湿度センサ（センサ）
１８    フィルタ
１９    フィルタケース（ダクト）
１９ａ  仕切壁
２０    ファンケース（ダクト）
２１    ヒータケース（ダクト）
３１    保護部品
９１    基板
９２    封止部材
９３    センサカバー
９４    センサ素子
１００  洗濯乾燥機
Ｐ      中心軸線
Ｒ      洗濯物
ｈ９    空気入口孔
ｈ１０  空気出口孔
ｋ１    溝
【図１】
2019165882.tif 000003
【図２】
2019165882.tif 000004
【図３】
2019165882.tif 000005
【図４】
2019165882.tif 000006
【図５】
2019165882.tif 000007
【図６】
2019165882.tif 000008
【図７】
2019165882.tif 000009
【図８】
2019165882.tif 000010